(57)【要約】      （修正有）【課題】蓋体を容器本体にしっかりと取り付けることが可能であり、かつ、比較的弱い力でもって蓋体を容器本体から取り外し可能な使い勝手のよい蓋付きカップ型容器を提案する。【解決手段】底壁部１ａを有し起立する本体周壁１ｂにてその内側に内容物の収納空間を形成する容器本体１と、該本体周壁１ｂの上部開放端１ｂ１に着脱自在に合わさって該収納空間を密封する蓋体２とを備えた蓋付きカップ型容器において、前記本体周壁１ｂの上部開放端１ｂ１に延出する本体フランジ部３を設け、前記蓋体２の蓋体フランジ部４は脚部４ａを有し、凹部５への押し込みにて蓋体２と容器本体１とを連係させ、該脚部４ａの、該凹部５からの押し出しにて蓋体２と容器本体１との連係を解除させる少なくとも一つの嵌合部６を設け、該蓋体の少なくとも一箇所に、該蓋体２と該容器本体１との連係を解除させる操作部７を設ける。【選択図】図１
2019189304.tif 000002
【特許請求の範囲】
【請求項１】
底壁部を有し該底壁部の縁部において起立する本体周壁にてその内側に内容物の収納空間を形成する容器本体と、該本体周壁の上部開放端に着脱自在に合わさって該収納空間を密封する蓋体とを備えた蓋付きカップ型容器であって、
前記本体周壁の上部開放端に、該上部開放端の全周にわたり外方に向けて延出する本体フランジ部を設け、
前記蓋体に、該本体フランジ部に合わさる蓋体フランジ部を設け、
前記蓋体フランジ部は、該蓋体の本体部分をなす蓋体周壁との境界に脚部を有し、
前記本体フランジ部は、前記本体周壁との境界に、該脚部の押し込みと押し出しを許容する凹部を有し、
前記脚部および凹部の相互間に、該脚部の、該凹部への押し込みにて蓋体と容器本体とを連係させ、該脚部の、該凹部からの押し出しにて蓋体と容器本体との連係を解除させる少なくとも一つの嵌合部を設け、該蓋体の少なくとも一箇所に、該蓋体と該容器本体との連係を解除する操作部を設けた、ことを特徴とする蓋付きカップ型容器。
【請求項２】
前記凹部は、開放端に向けて開放幅を漸次に拡大させて前記脚部のスムーズな押し出しを誘導する傾斜壁面を有する、ことを特徴とする請求項１に記載した蓋付きカップ型容器。
【請求項３】
前記凹部は、Ｖ字形状をなす屈曲片からなる、ことを特徴とする請求項１または２に記載した蓋付きカップ型容器。
【請求項４】
前記容器本体および前記蓋体は、短尺領域と長尺領域とからなる矩形平面形状を有するものであり、前記嵌合部は、該長尺領域または短尺領域の両端部に設けられており、前記操作部は、長尺領域の中央部または短尺領域の中央部に設けられたものである、ことを特徴とする請求項１〜３のいずれか１項に記載した蓋付きカップ型容器。
【請求項５】
前記容器本体は、前記本体周壁の上部内壁面に、前記内容物と外気との接触を避けるシール材の貼着用座部を有する、ことを特徴とする請求項１〜４のいずれか１項に記載した蓋付きカップ型容器。
【発明の詳細な説明】
【技術分野】
【０００１】
本発明は、固形物、半固形物、粉体等の内容物を入れるのに好適な蓋付きのカップ型容器に関するものである。なお、本発明において、カップ型容器とは、平面形状が円形、楕円形からなっているもののみならず、正方形や長方形、三角あるいは菱形等、種々の形状からなるものを含むものとする。
【背景技術】
【０００２】
バターやマーガリン、ヨーグルト、ジャム、クリーム等を内容物として収納する容器としては、内容物の適量取り出しが容易な蓋体付きのカップ型容器が使用されており、この点に関する先行文献としては、例えば特許文献１が参照される。
【先行技術文献】
【特許文献】
【０００３】
【特許文献１】特開２０１８─５２５７７号公報
【発明の概要】
【発明が解決しようとする課題】
【０００４】
かかるカップ型容器は、通常、蓋体を容器本体にアンダーカットの如き嵌合手段を適用して着脱自在に取り付ける構造になっているが、該蓋体が不用意に外れることがないように容器本体との嵌合を強固に設計すると、子供や高齢者等指先の力が弱い需要者にとっては蓋体の取り外しが難しい場合があって使い勝手がよいとはいえないのが現状であった。
【０００５】
本発明の課題は、蓋体を容器本体に対してしっかりと取り付けることができ、容器を開放するに当たっては、比較的弱い力を付加するだけの簡単な操作で蓋体をスムーズに取り外すことができる蓋付きカップ型容器を提案するところにある。
【課題を解決するための手段】
【０００６】
本発明は、底壁部を有し該底壁部の縁部において起立する本体周壁にてその内側に内容物の収納空間を形成する容器本体と、該本体周壁の上部開放端に着脱自在に合わさって該収納空間を密封する蓋体とを備えた蓋付きカップ型容器であって、
前記本体周壁の上部開放端に、該上部開放端の全周にわたり外方に向けて延出する本体フランジ部を設け、
前記蓋体に、該本体フランジ部に合わさる蓋体フランジ部を設け、
前記蓋体フランジ部は、該蓋体の本体部分をなす蓋体周壁との境界に脚部を有し、
前記本体フランジ部は、前記本体周壁との境界に、該脚部の押し込みと押し出しを許容する凹部を有し、
前記脚部および凹部の相互間に、該脚部の、該凹部への押し込みにて蓋体と容器本体とを連係させ、該脚部の、該凹部からの押し出しにて蓋体と容器本体との連係を解除させる少なくとも一つの嵌合部を設け、該蓋体の少なくとも一箇所に、該蓋体と該容器本体との連係を解除する操作部を設けた、ことを特徴とする蓋付きカップ型容器である。
【０００７】
上記の構成からなる蓋付きカップ型容器において、前記凹部は、開放端に向けて開放幅を漸次に拡大させて前記脚部のスムーズな押し出しを誘導する傾斜壁面を有すること、前記凹部は、Ｖ字形状をなす屈曲片からなること、前記容器本体および前記蓋体は、短尺領域と長尺領域とからなる矩形平面形状を有するものであり、前記嵌合部は、該長尺領域または短尺領域の両端部（長尺領域と短尺領域が交差する角部は除く）に設けられており、前記操作部は、該長尺領域の中央部または短尺領域の中央部に設けられたものであること、さらに、前記容器本体は、前記本体周壁の上部内壁面に、前記内容物と外気との接触を防止するシール材の貼着用座部を有すること、が課題解決のための具体的手段として好ましい。
【発明の効果】
【０００８】
上記の構成からなる蓋付きカップ型容器によれば、嵌合部を介して蓋体を容器本体にしっかりと取り付けることができ、蓋体の不用意な外れを起すことはないが、操作部により脚部を凹部から押し出すだけで蓋体と容器本体との連係を解除することが可能であり、比較的弱い力でもって蓋体を簡単に取り外すことができる（片手による蓋体の取り外しも可能）。
【図面の簡単な説明】
【０００９】
【図１】本発明にしたがう蓋付きカップ型容器の実施の形態を要部拡大図とともに模式的に示した外観斜視図（一部断面表示）である。
【図２】本発明にしたがう蓋付きカップ型容器の他の実施の形態を要部について示した拡大図である。
【発明を実施するための形態】
【００１０】
以下、本発明を図面を用いてより具体的に説明する。
図１は、本発明にしたがう蓋付きカップ型容器の実施の形態を要部の拡大図とともに模式的に示した外観斜視図（一部断面表示）である。本発明にしたがう蓋付きカップ型容器において、容器本体は、合成樹脂のシート（板材）をサーモフォーム成形することによって製造することができ、蓋体は、インジェクション成形により製造することができる。蓋体の肉厚は容器本体の肉厚よりも厚くし、その剛性が高められている。なお、蓋体は、サーモフォーム成形によって製造することも可能であり、蓋体の肉厚を容器本体の肉厚以下にしてもよい。例えば、容器本体と蓋体とを着脱自在に嵌合させる嵌合部として、アンダーカットの如き嵌合手段を適用する場合にあっては、とくにアンダーカットの成形性を高めるためにインジェクション成形を適用して製造するのが好ましい。また、蓋体および容器本体の成形方法は、サーモフォーム成形およびインジェクション成形に限らず、その他の成形方法を採用してもよい。
【００１１】
図１における符号１は、内容物の収納空間を形成する容器本体である。容器本体１は、一対の長尺領域と一対の短尺領域とを有する概略矩形状からなるものを例として示してあり、底壁部１ａと、該底壁部１ａの縁部において起立する本体周壁１ｂとを備えていてその内側に内容物の収納空間が形成されている。
【００１２】
また、２は、容器本体１の本体周壁１ｂの上部開放端１ｂ１に着脱自在に合わさって内容物の収納空間を密封する蓋体である。蓋体２は、容器本体１と同様に一対の長尺領域と一対の短尺領域とを有する概略矩形状からなるものを例として示してあり、容器本体１の本体周壁１ｂの上部開放端を覆う天壁２ａと該天壁２ａの縁部から垂下され、蓋体２の本体部分をなす蓋体周壁２ｂとを備えている。
【００１３】
また、３は、容器本体１の本体周壁１ｂの上部開放端１ｂ１にその全周にわたって設けられた本体フランジ部である。本体フランジ部３は、容器本体１の外方に向けて水平に延出するように構成されたものが適用される。
【００１４】
また、４は、蓋体２の蓋体周壁２ｂの下端でその全周にわたって設けられた蓋体フランジ部である。蓋体フランジ部４は、蓋体２を容器本体１に取り付ける際に、容器本体１の本体フランジ部３に合わさるものであり、蓋体２の蓋体周壁２ｂとの境界には、長尺領域で下側に向けて膨出する脚部４ａと、該脚部４ａにつながり短尺領域で下側に向けて膨出する脚部４ａ′が設けられている。脚部４ａ、４ａ′は、ここでは、上向きに開放する溝部４ａ１、４ａ１′が形成されたＵ字状断面形状からなるものを例として示してあるが、該脚部４ａ、４ａ′の断面形状は種々変更可能であり図示のものに限定されることはない。蓋体フランジ部４の先端部には、本体フランジ部３の先端が位置する側に折り曲げられた屈曲部４ｂが設けられている。蓋体２の開放操作において、脚部４ａ、４ａ′は、基本的には弾性変形することはない。
【００１５】
また、５は、長尺領域の全域で本体フランジ部３と本体周壁１ｂとの境界に配設された凹部である。凹部５は、脚部４ａの押し込みと押し出しを許容するものであって、本体周壁１ｂの上部開放端１ｂ１にその端部が一体連結する屈曲片にて構成されている。
【００１６】
凹部５は、本体周壁１ｂの上部開放端１ｂ１から径方向外方に向かって下方に傾斜する凹部底壁５ａと、該凹部底壁５ａの外縁から上方に向かって径方向内方に傾斜する傾斜壁面５ｂとを有しており、凹部底壁５ａおよび傾斜壁面５ｂとによって区画形成される空間の開放幅Ｌが開放端５ｃに向けて漸次に拡大され脚部４ａのスムーズな押し出しを可能としている（図１中の要部拡大図参照）。傾斜壁面５ｂとしては、凹部底壁５ａとの間でＶ字形状をなすもの（テーパー状のもの）が適用できるが、該脚部４ａを凹部５から押し出すことができるものであれば、どのような形状のものでも適用可能であり図示のものに限定されることはない。
【００１７】
さらに、６は、長尺領域の両端部において、脚部４ａおよび凹部５の相互間に設けられた嵌合部である。嵌合部６としては、脚部４ａの外面に設けられた蓋体凸部６ａと、該蓋体凸部６ａに上方から向かい合う傾斜壁面５ｂの内面部にて構成された本体凸部６ｂからなり、それら蓋体凸部６ａ、本体凸部６ｂが脚部４ａおよび凹部５の少なくとも一方の弾性変形を伴いながら相互に乗り越えることによって着脱自在に連係するアンダーカットが適用される。なお、本体凸部６ｂは、傾斜壁面５ｂから径方向内方に突出する突起により構成してもよい。
【００１８】
嵌合部６としては、脚部４ａを凹部５に押し込むことによって蓋体２と容器本体１が連係され、脚部４ａを凹部５から押し出すことにより蓋体２と容器本体１の連係が解除されるものであれば他の手段を適用することも可能でありアンダーカットに限定されることはない。
【００１９】
７は、蓋体２と容器本体１との連係を解除する操作部である。操作部７は、ここでは、蓋体２の蓋体フランジ部４の、長尺領域の中央部（一対の嵌合部６の間）に設けた場合について示している。操作部７において、蓋体フランジ部４の屈曲部４ｂに手指をあてがい、該蓋体フランジ部４を図中Ａ方向、すなわち、蓋体２の蓋体周壁２ｂに向けて押圧することにより脚部４ａは凹部５から図中Ｂ方向へと押し出されることになる。操作部７において蓋体フランジ部４を押圧する際、凹部５は、基本的には弾性変形することはなく、また、蓋体フランジ部４の屈曲部４ｂが本体フランジ部３の先端部に接触することのない寸法に設定されている。また、蓋体フランジ部４（脚部４ａよりも外方に位置する部分）と本体フランジ部３（凹部５よりも外方に位置する部分）との間には、上下方向において隙間ｅが設けられており、この上下方向の隙間ｅにより操作部７を押圧した際の相互接触を回避して操作性を損なうことがないようになっている。なお、上下方向の隙間ｅは、必ずしも設ける必要はない。
【００２０】
操作部７としては、蓋体２の蓋体周壁２ｂに設けることもできる。例えば、蓋体２の長尺領域の中央部を含む部分にて蓋体周壁２ｂを内方へ向けて窪ませて一対の窪み部７ａを設け、これを操作部７とする。この一対の窪み部７ａを操作部７として該窪み部７ａの一方もしくは両方を対向する蓋体周壁２ｂの側に向けて押し込むことにより嵌合部６を解除することができる。窪み部７ａにて操作部７を構成した場合、押圧位置が明瞭となり蓋体２を取り外す際の視認性を高めることができる利点がある。操作部７を蓋体フランジ部４に設ける場合においては、操作部７自体に彫刻や着色等で模様、文字を付加するのが好ましく、これにより押圧位置の視認性を高めることができる。
【００２１】
８は、容器本体１の本体周壁１ｂの上部内壁面の全周にわたって設けられたシール材の貼着用座部である。内容物を収納空間に充填したのち、内容物の上面にシール材を配置しその縁部を貼着用座部８に貼着することによって内容物と外気との接触を避けることができる。シール材としては、アルミ箔を含む少なくとも一枚の合成樹脂フィルムを積層して構成されたガスバリア性の高いラミネートフィルム等を用いることができる。
【００２２】
さらに、９は、短尺領域で本体フランジ部３と本体周壁１ｂとの境界に設けられた段部である。この段部９は、ほぼ水平に延びる段部底壁９ａと、該段部底壁９ａの外縁からほぼ垂直に立ち上がる段部側壁９ｂから構成されている。短尺領域の、蓋体フランジ部４と蓋体周壁２ｂとの境界には、長尺領域に設けられた脚部４ａにつながる脚部４ａ′が位置しているが、この脚部４ａ′の下端が段部９の段部底壁９ａに当接しており、該脚部４ａ′の外側壁と段部側壁９ｂの内側壁との間には、隙間ｄが設けられている。
【００２３】
本発明にしたがう蓋付きカップ型容器は、前述したように、容器本体１、本体フランジ部３、蓋体２および蓋体フランジ部４が、対向する二つの側がそれぞれ短尺領域からなり、対向するもう二つの側がそれぞれ長尺領域からなる、矩形平面形状を有するものがとくに好適であり、この場合、短尺領域と長尺領域が交差する角部を除いた短尺領域の両端部あるいは長尺領域の両端部に嵌合部６を設け、操作部７を、嵌合部６の相互間、とくに短尺領域の中央部あるいは長尺領域の中央部に設けることが好ましい。なお、嵌合部６が短尺領域の両端部に設けられている場合には、短尺領域の中央部に操作部７を設け、嵌合部６が長尺領域の両端部に設けられている場合には、長尺領域の中央部に操作部７を設ける。
【００２４】
容器本体１に取り付けられた蓋体２を取り外す手順は、上述したように、操作部７において蓋体フランジ部４の屈曲部４ｂに手指をあてがい、該蓋体フランジ部４を蓋体２の蓋体周壁２ｂに向けて押圧するか、窪み部７ａの一方もしくは両方を対向する蓋体周壁２ｂの側に向けて押し込めばよいが、蓋体２を容器本体１に取り付けるには、本体フランジ部３、蓋体フランジ部４を相互に重ね合わせ、蓋体２を容器本体１に向けて押し込めばよく、この押し込みにより嵌合部６の蓋体凸部６ａ、本体凸部６ｂが連係することになる。
【００２５】
本発明では、容器本体１に凹部５を設け、蓋体２に脚部４ａおよび操作部７を設けた場合について説明したが、凹部５を蓋体２に設け、脚部４ａおよび操作部７を容器本体１に設けてもよい。
【００２６】
図２は、本発明にしたがう蓋付きカップ型容器の他の実施の形態を要部について示した拡大図である（図１の中央部に位置する要部拡大図と同じ断面を表示）。
【００２７】
かかる構成の蓋付きカップ型容器は、操作部７により蓋体フランジ部４を図中Ａ方向に押圧した場合に、蓋体フランジ部４の先端部に設けた屈曲部４ｂが容器本体１の本体フランジ部３を押圧して凹部５の傾斜壁面５ｂを図中Ｃ方向へ向け弾性変形させて開放幅Ｌを狭めることで、脚部４ａを押し出すものであり、これによれば、より小さな力でもって蓋体２の取り外しが可能となる。この押し出しにおいて、脚部４ａのうち、蓋体フランジ部４につながる外側壁部４ａ２が蓋体２の蓋体周壁２ｂへ向けて倒れ込むように弾性変形させてもよいし、弾性変形させなくともよい。
【００２８】
容器の形状は、操作部の押圧により嵌合部が解除される構成であれば、円形、楕円形、多角形状等、その外観形状は限定されない。但し、操作部の両側に嵌合部を設けることが好ましい。また、本発明の実施の形態では、本体フランジ部３、蓋体フランジ部４を設けたものを前提にして説明したが、本体フランジ部３、蓋体フランジ部４はそのいずれか一方、もしくは両方を、凹部５、脚部４ａ、脚部４ａ′を残したまま省略してもかまわない。
【産業上の利用可能性】
【００２９】
本発明によれば、蓋体を容器本体にしっかりと取り付けることが可能であり、かつ、比較的弱い力でもって蓋体を容器本体から取り外し可能な使い勝手のよい蓋付きカップ型容器が提供できる。
【符号の説明】
【００３０】
１      容器本体
１ａ    底壁部
１ｂ    本体周壁
１ｂ１  上部開放端
２      蓋体
２ａ    天壁
２ｂ    蓋体周壁
３      本体フランジ部
４      蓋体フランジ部
４ａ    脚部
４ａ′  脚部
４ａ１  溝部
４ａ１′溝部
４ａ２  外側壁部
５      凹部
５ａ    凹部底壁
５ｂ    傾斜壁面
５ｃ    開放端
６      嵌合部
６ａ    蓋体凸部
６ｂ    本体凸部
７      操作部
７ａ    窪み部
８      貼着用座部
９      段部
９ａ    段部底壁
９ｂ    段部側壁
ｅ      上下方向の隙間
ｄ      隙間
【図１】
2019189304.tif 000003
【図２】
2019189304.tif 000004